(57)【要約】【課題】殺菌剤を効率良く高温のガスにして吐出する殺菌剤噴霧装置を提供する。【解決手段】気化室（１）と、供給された殺菌剤を気化室（１）内で沸点以上に加熱して気化させる加熱手段とを具備し、気化室（１）が、加熱筒（１ａ）で形成される。そして、加熱手段が、加熱筒（１ａ）と、その回りに巻回された誘導加熱コイル（４）とを具備するか、又は加熱筒（１ａ）と、その外周壁に密着するように取り付けられた誘電加熱用導電部材（３）と、この誘電加熱用導電部材（３）の回りに巻回された誘導加熱コイル（４）とを具備する。【選択図】図１
2013188402.tif 000002
【特許請求の範囲】
【請求項１】
殺菌剤の供給手段と、供給された殺菌剤を導入する気化室と、供給された殺菌剤を気化室内で沸点以上に加熱して気化させる加熱手段とを具備してなる殺菌剤噴霧装置において、上記気化室が、加熱筒で形成され、上記加熱手段が、上記加熱筒と、その回りに巻回された誘導加熱コイルとを具備するか、又は上記加熱筒と、その外周壁に密着するように取り付けられた誘電加熱用導電部材と、この誘電加熱用導電部材の回りに巻回された誘導加熱コイルとを具備したことを特徴とする殺菌剤噴霧装置。
【請求項２】
請求項１に記載の殺菌剤噴霧装置において、上記殺菌剤の供給手段が液状の殺菌剤を加圧エアによってスプレーするスプレーノズルであることを特徴とする殺菌剤噴霧装置。
【発明の詳細な説明】
【技術分野】
【０００１】
本発明は、過酸化水素等の殺菌剤を噴霧する装置に関する。
【背景技術】
【０００２】
従来、容器、樹脂フィルム等の包装材料を殺菌する際は、過酸化水素等の殺菌剤を包装材料に向かってスプレーし、殺菌剤のミストを包装材料の表面に付着させるようにしている。その場合殺菌剤のミストにおける粒子は、できるだけ細かく均一な大きさである方が、包装材料の表面に満遍なく均等に付着し殺菌性が向上するので望ましい。従来、このようなミストを得ることができる殺菌剤噴霧装置として、液状殺菌剤を圧縮空気によってスプレーするスプレー部と、スプレーされた殺菌剤を導入する気化室と、スプレーされた殺菌剤を気化室内で沸点以上に加熱して気化させる加熱手段とを具備したものが用いられている。気化した殺菌剤は気化室の先の吐出ノズルからミストとなって吐出され、包装材料へと導かれる（例えば、特許文献１参照。）。
【０００３】
一方、樹脂フィルム等を加熱したり、冷却したりする場合に、ローラが用いられることがある。ローラ内にはローラを加熱又は冷却するための油等の熱媒体が供給されるようになっているが、この熱媒体の加熱を発熱ヒータによって行うと発熱効率が悪いので、熱媒体を中空の螺旋状に巻いたパイプ内に通し、誘導コイルをパイプの螺旋の中空内に配置した誘導加熱装置が用いられている。この誘導加熱装置によれば、誘導コイルに交流電圧を印加することで、パイプ内の熱媒体を効率よく加熱することが可能になる（例えば、特許文献２参照。）。
【先行技術文献】
【特許文献】
【０００４】
【特許文献１】特許第３０７１４４６号公報
【特許文献２】特開２００７−１５２６５１号公報
【発明の概要】
【発明が解決しようとする課題】
【０００５】
従来の殺菌剤噴霧装置ではその加熱手段がシリンダ状気化室の周面に巻かれたリボン状ヒータ、バンドヒータ、鋳込ヒータ等であることから、発熱効率、伝熱効率が悪く、ヒータの温度が例えば３００℃であったとしても、熱容量が十分でなく過酸化水素等の殺菌剤が気化室の先のノズルからミストとなって出るときは１００℃程度まで低下し、さらに噴霧量も制限されるという問題がある。
【０００６】
一方、従来の誘導加熱装置によれば、油等の流体を効率よく加熱することができるため、様々な分野で多用されているが、過酸化水素等の殺菌剤の効率的なガス化又はミスト化への利用はみることができない。
【０００７】
本発明は、このような問題点を解消することを課題とする。
【課題を解決するための手段】
【０００８】
上記課題を解決するため、本発明は次のような構成を採用する。
【０００９】
すなわち、請求項１に係る発明は、殺菌剤の供給手段と、供給された殺菌剤を導入する気化室（１）と、供給された殺菌剤を気化室（１）内で沸点以上に加熱して気化させる加熱手段とを具備してなる殺菌剤噴霧装置において、上記気化室（１）が、加熱筒（１ａ）で形成され、上記加熱手段が、上記加熱筒（１ａ）と、その回りに巻回された誘導加熱コイル（４）とを具備するか、又は上記加熱筒（１ａ）と、その外周壁に密着するように取り付けられた誘電加熱用導電部材（３）と、この誘電加熱用導電部材（３）の回りに巻回された誘導加熱コイル（４）とを具備した殺菌剤噴霧装置を採用する。
【００１０】
請求項２に記載されるように、請求項１に記載の殺菌剤噴霧装置において、上記殺菌剤の供給手段が液状の殺菌剤を加圧エアによってスプレーするスプレーノズルとしたものとすることができる。
【発明の効果】
【００１１】
本発明によれば、殺菌剤の供給手段と、供給された殺菌剤を導入する気化室（１）と、供給された殺菌剤を気化室（１）内で沸点以上に加熱して気化させる加熱手段とを具備してなる殺菌剤噴霧装置において、上記気化室（１）が、加熱筒（１ａ）で形成され、上記加熱手段が、上記加熱筒（１ａ）と、その回りに巻回された誘導加熱コイル（４）とを具備するか、又は上記加熱筒（１ａ）と、その外周壁に密着するように取り付けられた誘電加熱用導電部材（３）と、この誘電加熱用導電部材（３）の回りに巻回された誘導加熱コイル（４）とを具備したものであることから、通常のヒータによる加熱に比べ過酸化水素等の殺菌剤をより効率良くガス化することができる。従って、より高温の殺菌剤のガス又はミストを包装材料に吹き付けることができ、殺菌性を一層高めることができる。また、消費電力に対して効率的に加熱できることから省エネルギー効果もある。
【図面の簡単な説明】
【００１２】
【図１】本発明に係る殺菌剤噴霧装置の概略垂直断面図である。
【発明を実施するための形態】
【００１３】
以下に本発明を実施するための形態について説明する。
【００１４】
図１に示すように、この殺菌剤噴霧装置は、過酸化水素等の殺菌剤の供給手段と、供給された殺菌剤を導入する気化室１と、供給された殺菌剤を気化室１内で沸点以上に加熱して気化させる加熱手段とを具備する。
【００１５】
上記殺菌剤の供給手段は、気化室１内に過酸化水素水等の液状の殺菌剤を導入するもので、単なる導管であってもよいが、望ましくは、加圧エアによって液状の殺菌剤をスプレーする二流体ノズル等のスプレーノズル（図示せず）とされる。
【００１６】
上記気化室１は、加熱筒１ａで形成される。加熱筒１ａは望ましくは殺菌剤に対する耐食性を有したステンレス鋼等の金属製円筒体で形成される。この加熱筒１ａは望ましくは垂直に設置され、その上端に上記殺菌剤をスプレーするスプレーノズルが取り付けられる。また、加熱筒１ａの下端には、ノズル部２が取り付けられる。ノズル部２は漏斗状に形成され、その下端に殺菌剤のガス又はミストの吐出口２ａが設けられる。また、生じたガス又はミストを加熱エアにより搬送してノズルから吐出してもかまわない。
【００１７】
上記加熱手段は、上記加熱筒１ａと、その外周壁に密着するように取り付けられた誘電加熱用導電部材３と、この誘電加熱用導電部材３の回りに巻回された誘導加熱コイル４とを具備する。
【００１８】
上記加熱筒１ａはステンレス鋼とすると非磁性体であるため、後述する誘導電流の周波数を上げなければならない。周波数調整のためのインバータを省くためには、磁性を有する鉄のような材質からなる加熱筒１ａの外周壁に密着しうる誘電加熱用導電部材３を設ける必要がある。磁性体であれば通常の低周波、交流電源で昇温することができる。この誘電加熱用導電部材３が加熱筒１ａの外周壁に密着することにより、誘導加熱導電部材３に生じた熱が加熱筒１ａに伝わる際の伝熱率が向上する。
【００１９】
誘導加熱コイル４は上記誘電加熱用導電部材３における円筒形の外周面に螺旋状に巻回される。図示例では一重に巻回されているが、多重に巻回することも可能である。この誘導加熱コイル４の始端側と終端側とが変圧器５を介して交流電源６に電気的に接続される。
【００２０】
なお、上記加熱手段は、加熱筒１ａを磁性体で構成した場合等は、加熱筒１ａと、その回りに巻回された誘導加熱コイル４とを具備したものとし、誘電加熱用導電部材３は省略することも可能である。この場合は、誘導加熱コイル４は加熱筒１ａにおける円筒形の外周面に螺旋状に巻回される。
【００２１】
この誘導加熱コイル４に交流電源６からの交流電圧が印加されると、誘導加熱コイル４が交番磁束を発生し、誘電加熱用導電部材３に誘導電流が流れ、誘電加熱用導電部材３が発熱する。この誘電加熱用導電部材３から上記加熱筒１ａに伝熱する結果、加熱筒１ａが加熱される。
【００２２】
誘電加熱用導電部材３が省略された場合は、加熱筒１ａ自体に誘導電流が流れ、加熱筒１ａが加熱される。
【００２３】
なお、変圧器５をインバータとし、このインバータにより交流電源６からの交流電圧を周波数変換して誘導加熱コイル４に通電することも可能である。ステンレス鋼のような非磁性体からなる加熱筒が採用される場合であって、誘電加熱用導電部材３が省略され、加熱筒が直接加熱されるときは変圧器５としてインバータが採用される。
【００２４】
上記誘電加熱用導電部材３や誘導加熱コイル４の回りはカバー７で覆われ、保護される。
【００２５】
なお、誘電加熱用導電部材３と誘導加熱コイル４の間には、無機材料からなる非導電性部材を設けてもかまわない。この非導電性部材の介在によって、誘電加熱用導電部材３から誘導コイル４への熱伝導が抑制される。
【００２６】
図示しないが、上記加熱筒１ａ又は誘電加熱用導電部材３には温度センサが取り付けられる。この温度センサからの温度情報が上記変圧器５に送られ、この温度情報に基づいて変圧器５が制御され、これにより上記加熱筒１ａの温度が制御される。
【００２７】
次に、上記構成の殺菌剤噴霧装置の作用について説明する。
【００２８】
交流電源６からの交流電圧が誘導加熱コイル４に印加されると、誘導加熱コイル４が交番磁束を発生し、誘電加熱用導電部材３に誘導電流が流れ、誘電加熱用導電部材３が発熱する。この誘電加熱用導電部材３の熱が加熱筒１ａに伝わり、加熱筒１ａが昇温する。加熱筒１ａの温度は、上記温度センサ、変圧器５等により制御され、所望値に保持される。
【００２９】
加熱筒１ａが所望の温度まで昇温すると、殺菌剤の供給手段であるスプレーノズルによって過酸化水素水等の液状殺菌剤が加熱筒１ａの気化室１内に噴霧される。
【００３０】
殺菌剤の噴霧は、加熱筒１ａの気化室１内で気化され、このガスＧがノズル部２の吐出口２ａから加熱筒１ａ外へ吐出される。
【００３１】
この加熱筒１ａ外へ吐出された殺菌剤のガスＧはガスのままで、又はミスト化されて、殺菌対象であるＰＥＴ（ポリエチレンテレフタレート）ボトル、樹脂フィルム、ボトル成形前のプリフォーム等に吹き付けられる。殺菌剤のガスＧはボトル等の表面に接触すると微細な滴となって高濃度の殺菌剤として凝縮結露し、ボトル等の表面を適正かつ速やかに殺菌する。
【実施例】
【００３２】
内径８５ｍｍ、外径９０ｍｍ、長さ４００ｍｍのＳＵＳ３０４からなり、先端に長さ６０ｍｍ、内径６ｍｍのノズルを設けた加熱筒の円筒部分に外側から厚さ１０ｍｍの鉄材を巻いた。この外側にアルミナシリカ系繊維からなる厚さ６ｍｍのシートを巻きつけ、さらに誘導コイルを巻き６．０ｋｗ容量とした。これに、加熱筒上部に取り付けた二流体スプレーに２５０ｍＬ／分の過酸化水素水（濃度３５％）を０．５ＭＰａのエアにより加熱筒内にスプレーした。このとき加熱筒の温度を３００℃に設定した。ノズル先端から吐出されるガス温度は２７０℃であった。
【００３３】
なお、比較のため同様の加熱筒に６．０ｋＷのバンドヒータを巻き３００℃に設定して、６０ｍＬ／分の過酸化水素水（濃３５％）を０．５ＭＰａのエアにより加熱筒内にスプレーした。ノズル先端から吐出されるミストは９５℃であった。
【００３４】
本発明の殺菌剤噴霧装置により過酸化水素水をガス化又はミスト化することで、流量、温度共にアップさせることができ、省エネルギー化が可能で、殺菌効果も確実におこなうことができることが分かった。
【符号の説明】
【００３５】
１…気化室
１ａ…加熱筒
３…誘電加熱用導電部材
４…誘導加熱コイル
【図１】
2013188402.tif 000003